(57)【特許請求の範囲】
【請求項１】
１台のインバータ駆動される室外機、複数の室内機から構成され、室外機に交流一次電源が供給される空気調和機のマルチ機種において、室外機に電源供給をＯＮ、ＯＦＦする第１のリレー回路、電源電圧検出手段および電源電圧判断手段を設け、前記複数の室内機への電源供給を前記第１のリレー回路後から行なうようにし、電源電圧があらかじめ定められた値より高くなった時にインバータを構成する全てのスイッチング素子を停止させた後に前記第１のリレー回路をＯＦＦさせるようにした空気調和機の制御装置。
【請求項２】
室外交流一次側に第１のリレー回路と抵抗を直列に接続し、その直列回路と並列に第２のリレー回路を接続した請求項１記載の空気調和機の制御装置。
【発明の詳細な説明】
【０００１】
【発明の属する技術分野】
本発明は、マルチタイプ空気調和機の制御装置に関するものである。
【０００２】
【従来の技術】
図７は従来のマルチタイプ空気調和機の制御装置に関する系統図を示している。系統図回路構成は図７に示すように、室外機側の交流電源１０４から分岐した電源が室内ユニット１０６、１０７の制御部へと供給されて、室内機を駆動させている。また、交流電源の母線は室外側の制御部へと供給され、ダイオードブリッジ１０９により直流電圧に整流され、平滑コンデンサ１１０により平滑され、ＩＰＭ１１１に供給され、圧縮機１１２を駆動させる。従来の電源回路では、電源電圧が異常に高くなった時にパワー素子であるダイオードブリッジ１０９、平滑コンデンサ１１０、ＩＰＭ１１１、圧縮機１１２を保護する回路が、電子制御装置内に組み込まれていない構成である。
【０００３】
【発明が解決しようとする課題】
従来の電源回路方式では、電源事情が不安定な地域で、過電圧に対する保護回路を設けていないため、電源電圧が異常に高くなった場合に高電圧が各インバータスイッチング素子に印加され、破壊する可能性がある。
【０００４】
【課題を解決するための手段】
上記課題を解決するために本発明は、室外側から複数の室内側へと供給される電源ラインを第１のリレー回路後から行う構成とし、電圧検出回路を設け、電源電圧があらかじめ定められた値より高くなったことをマイコンが検知し、インバータを構成する全てのスイッチング素子を直接停止させ、その後、交流１次回路に設けられた第１のリレー回路をＯＦＦすることにより、電源供給を止めることでインバータ部の保護と共に複数の室内機の保護も同時に行なうことができる。
【０００６】
また、本発明は、室外交流一次側の第１のリレーと抵抗の直列回路と平行に第２のリレー回路を接続したものである。この結果、リレーに必要な接点容量を減少させて、なおかつ電源電圧があらかじめ定められた値より高くなった時に、室外機のインバータ部、及び室内機の制御部の保護を行うことができる。
【０００７】
【発明の実施の形態】
以下、添付の図面を参照して本発明に係る制御装置の電源回路の一実施形態を説明する。
【０００８】
（実施の形態１）
図１に示すように本発明の実施の形態１において、交流電源４は室外側の制御部８に入り、さらに室内ユニット６、７へ電源供給を行う。交流電源はダイオードブリッジ９により整流され、整流後の直流電圧はコンデンサ１０により平滑され、その整流平滑された電圧はＩＰＭ１１に供給され、圧縮機１２を駆動する構成となっている。
【０００９】
図２は実施の形態１のマルチタイプ機種の室外制御部の制御回路図を示している。ダイオードブリッジ１７、平滑コンデンサ１８で整流平滑された直流電圧はＤＣ／ＤＣコンバータ１９により低圧直流電圧に変換され、マイコン３３、ＩＰＭ１１へと入力される。さらにマイコン３３は通信部を経由して室内ユニット６、７へ信号を送り制御している。
【００１０】
また、異常電圧の検出（電圧があらかじめ定められた値より大きいか否かを検出）を電源電圧検出回路で行っている。電源電圧検出回路動作は、抵抗２１間の電圧が抵抗２３、２４で分圧される基準電圧より大きくなる時、つまり電源電圧が異常に高くなった時に、オペアンプ３０からＬｏが出力され、フォトカプラ３１がＯＮして５Ｖ系が引っ張られ、マイコン３３への入力はＨｉからＬｏへと変わるように動作する。
【００１１】
以上のような方法で異常電圧を検知している。これにより、図３にある実施の形態１の室外制御部の制御フローに示すように、電源電圧が異常に高くなった場合、上記のように過電圧検出回路３２により、マイコン３３へＬｏ信号が入り、電源電圧が異常に高くなったことを検知し、マイコン３３からＩＰＭ１１へＯＦＦ信号を送り、インバータを構成する全てのスイッチング素子をまず停止させる。
【００１２】
その後、リレー１４をＯＦＦし、電源供給を止め、ダイオードブリッジ９、平滑コンデンサ１０等のパワー部品の保護を行う。
【００１３】
（実施の形態２）
次に、実施の形態２の電源回路について説明する。本実施形態の電源回路の回路構成、動作は、基本的に実施の形態１と同じである。実施の形態１では、電源電圧が異常に高くなったときに、室内機を保護するために電圧検出回路を設け、リレー回路等を用いて、室内制御装置部への電源供給を停止させなければならない。
【００１４】
ここで、図４に示すように実施の形態２は、室内側への電源供給を実施の形態１の第１のリレー回路後から行うようにする。このことより、室外インバータ部を保護すると同時に、室内機側に電源検出回路及びリレーを設置しなくても、室外の第１のリレー回路により室内機の保護を行うことができる。
【００１５】
（実施の形態３）
次に、実施の形態３の電源回路について説明する。本実施形態の電源回路の回路構成、動作は基本的に実施の形態１と同じである。上記実施の形態１、２では、交流一次側に設けたリレー１４のＯＮ／ＯＦＦを行うが、大きな電流が流れているため、リレーは接点容量の大きなものが必要となってくる。
【００１６】
そこで、図５に示すように実施の形態３は、室外交流１次側の第１のリレー回路１４と抵抗１６で直列回路を形成し、それと平行に第２のリレー回路１５を設置し、第１のリレー回路１４にかかる負荷を低減し、リレーの小型化を行う。また、電源電圧が異常に高くなった場合は、図６の実施の形態３の制御フローに示すように、第１のリレー回路１４と第２のリレー１５の同時ＯＦＦにより、インバータ部の保護を行う。
【００１７】
【発明の効果】
本発明の請求項１の制御装置によれば、電源電圧が異常に高くなった時に電圧検出回路からの信号で、マイコンが異常電圧を検知し、インバータを構成する全てのスイッチング素子を停止させ、その後、交流１次回路に設けた第１のリレー回路をＯＦＦし、電源供給を止め、インバータ部の保護を行うことができる。
【００１８】
また、請求項２のように、室内機への電源供給を前記リレー回路後から行うようにすると、室内機側の電圧検出回路、リレー回路がなくとも室内側の異常電圧保護を行うことができる。また、マルチモデルは複数の室内機を持っているため、かなりのコスト改善を行うことができる。
【００１９】
また、請求項３の制御装置によれば、前記リレー回路と抵抗で直列回路を形成し、それと平行に第２のリレー回路を設けることで、リレーに必要な接点容量を低減することができ、リレーの小型化のよるコストやプリント基板実装上の改善が行えると同時に、インバータ部の保護を行うことができる。
【図面の簡単な説明】
【図１】本発明に係るマルチタイプ空気調和機の制御装置の実施形態１における系統図
【図２】本発明に係るマルチタイプ空気調和機の制御装置の実施形態１における制御回路図
【図３】本発明に係るマルチタイプ空気調和機の制御装置の実施形態２における制御フロー図
【図４】本発明に係るマルチタイプ空気調和機の制御装置の実施形態２、３における系統図
【図５】本発明に係るマルチタイプ空気調和機の制御装置の実施形態２、３における系統図
【図６】本発明に係るマルチタイプ空気調和機の制御装置の実施形態３における制御フロー図
【図７】従来からあるマルチタイプ空気調和機の制御装置の系統図
【符号の説明】
４  交流電源
５  室外ファンモータ
６、７  室内ユニット
９  ダイオードブリッジ
１０  平滑コンデンサ
１１  ＩＰＭ
１２  圧縮機
１３  室外ファンモータ
１７  ダイオードブリッジ
１８  平滑コンデンサ
１９  ＤＣ／ＤＣコンバータ
３３  マイコン
【図１】
0004151188.tif 000002
【図２】
0004151188.tif 000003
【図３】
0004151188.tif 000004
【図４】
0004151188.tif 000005
【図５】
0004151188.tif 000006
【図６】
0004151188.tif 000007
【図７】
0004151188.tif 000008